(57)【要約】      （修正有）【課題】足を踏み台に載せて足踏みすることで、電気的刺激効果が得られる踏み台を提供し、足を踏み台に載せて足踏みしても、痛みが少なくて刺激効果が得られる健康を促進する健康踏み台を提供する。【解決手段】金属やプラスチックやゴムが持っている弾性と可撓性の性質を利用するもので、適当な厚みで適当に撓んで弾性を持つ金属やプラスチックやゴムで基板３を形成し、その基板上に圧電体４を平薄状に設けることで、基板に荷重による圧力が加わると、その圧力方向に基板と一体となって圧電体は撓んで変形し、そして圧力を取り去るとその基板が持つ弾性によって、圧電体は元の形に戻るため、基板上に加わるいかなる方向からの圧力でも起電でき、その基板を踏み台内に設ける。そしてその踏み台１に足を載せた状態で足踏みすることで継続して起電でき、圧電体で起電する微弱電流を導電部６，６Ａ，６Ｂから接面する足の裏の皮膚組織内に通電する。【選択図】図２
2007215821.tif 000002
【特許請求の範囲】
【請求項１】
足を載せる踏み台において、踏み台に適当に撓んで導電性を有する基板（３）と、該基板（３）の上面に適当な大きさの圧電体（４）と、該圧電体（４）の上面に電極（５）を設け、さらに該圧電体（４）で起電する電気を通電する適当な大きさの導電部（６：６Ａ）と導電部（６：６Ｂ）を設け、踏み台に足を載せた状態で、圧電体（４）に加わる圧力によってひずむ変位で起電する微弱電流を、導電部（６：６Ａ）と導電部（６：６Ｂ）から接面する足の裏の組織内に通電するようにした健康踏み台。
【請求項２】
足を載せる踏み台において、踏み台に適当に撓んで適当な大きさの圧電フィルム（４：４ｂ）と、該圧電フィルム（４：４ｂ）で起電する電気を通電する適当な大きさの導電部（６：６Ａ）と導電部（６：６Ｂ）を設け、踏み台に足を載せた状態で、圧電フィルム（４：４ｂ）に加わる圧力によってひずむ変位で起電する微弱電流を、導電部（６：６Ａ）と導電部（６：６Ｂ）から接面する足の裏の組織内に通電するようにした健康踏み台。
【請求項３】
前記導電部（６：６Ａ）に複数の凸部（６ａ）と前記導電部（６：６Ｂ）に複数の凸部（６ｂ）を適当に配設した請求項１又は２記載の健康踏み台。
【請求項４】
前記圧電体（４）が圧電フィルム（４：４ｂ）でなる構成において、該圧電フィルム（４：４ｂ）の上面と下面に電極（５）を設けてなる請求項１、２又は３記載の健康踏み台。
【請求項５】
前記踏み台に足踏みするごとに起電する電気で点灯するＬＥＤ（７）を設け、踏み台から点灯するようにした請求項１〜４のいずれか１項記載の健康踏み台。
【請求項６】
前記踏み台に足踏み数をカウントして表示するカウント表示部（１０）を設けた請求項１〜５のいずれか１項記載の健康踏み台。
【請求項７】
前記踏み台に足踏み数をデータ化して日常管理するため、外部に出力するコネクタ（１１）を設けた請求項１〜６のいずれか１項記載の健康踏み台。
【発明の詳細な説明】
【技術分野】
【０００１】
本発明は、健康を促進する健康踏み台に関する。
【背景技術】
【０００２】
足の裏は第２の心臓と言われ、足の裏を刺激すると血行が良くなり、内臓の働きも良くなって基礎代謝を上げることができ、ダイエット効果もある。そして体内には１００〜２００μＡの生体電流が流れており、神経繊維や筋繊維では微弱な電流刺激によって、その細胞膜に一連の電気的変化が生じると、１ヵ所に生じた電気的変化により隣接部が刺激されて次々と興奮を起こし、その興奮が繊維を伝わっていく性質がある。そして足の裏には体の各器官に対応した反射区があり、各つぼを刺激したりマッサージする反射学（リフレクソロジー）療法として、図１１に示すように、３０に及ぶつぼ、1.大脳の左半球2.前頭洞3.小脳・脳幹4.脳下垂体5.三叉神経6.鼻7.頚部(首)8.左目9.左耳11.右の僧帽筋(首の右半分と右肩) 12.甲状腺13.副甲状腺14.右の肺と気管支15.胃16.十二指腸17.すい臓18.肝臓19.胆のう20.腹腔神経そう(消化器)21.右副腎 22.右腎臓23.右輸尿管24.膀胱25.小腸26.盲腸(虫垂)27.回盲弁28.上行結腸29.横行結腸36.右の生殖腺(卵巣・睾丸)53.けい椎・脳幹があり、各つぼを刺激することで、そのつぼに対応した各器官の機能を活性化できる。
足の裏のつぼを刺激する方法としては、押圧の刺激を与える方法（指圧等）、熱の刺激を与える方法（温灸等）、電気的刺激を与える方法（磁気、低周波電流、微弱電流）の３通りがあり、パルス状の微弱電流を細胞組織内に流すのが最も効果的である。（磁気は磁界の中で発生する微小な起電流を利用するものである。また低周波治療のミリアンペアの電流は皮下しかほとんど流れない。）そして外部から微弱電流（マイクロカレント）を流してやることで、細胞の活動に必要なエネルギーであるＡＴＰ（アデノシン三燐酸）の生成が細胞内で促進されることがわかっている。
そこで足の裏に刺激を与える健康器としては、例えば特開平７−２５０８８０号公報や登録実用新案３０８３６８１号公報等が提案されている。然しながらいずれの提案の構成も、足の裏に押圧の刺激を与えるのみの構成であり、足の裏に刺激を与える効果は小さかった。また足を提案の健康器に載せて全体重をかけると、その刺激を与える突起から加わる圧力が大きすぎて、かなりの痛みを伴った。
（例えば体重５０ｋｇの人で、踵部分にかかる荷重は１平方センチメートルあたり２ｋｇ前後あり、足踏みするとさらに数倍の荷重が加わる。）そのためその健康器の上で足踏みをするとさらに痛みを伴い、継続して実施するのは困難だった。
【０００３】
【特許文献１】特開平７−２５０８８０号公報登録実用新案３０８３６８１号公報
【発明の開示】
【発明が解決しようとする課題】
【０００４】
本発明は、前述の問題に鑑みてなされたもので、足を踏み台に載せて足踏みすることで、電気的刺激効果が得られる踏み台を提供し、さらに足を踏み台に載せて足踏みしても、痛みが少なくて刺激効果が得られる健康を促進する従来に無い健康踏み台を提供することである。
【課題を解決するための手段】
【０００５】
本発明は、前記課題を解決させるために、足を載せる踏み台の内部に圧力で起電する圧電体を設け、しかも圧電体を曲げによる変形で起電させる構成にするものである。その起電原理であるピエゾ効果を利用して圧電体に加える圧力で起電させる方法を、図１０に基づいて説明すると、図１０（ａ）において、圧電体の表面に矢印（↓）の方向に圧縮する力（圧縮応力）が加わると、図のように圧電体が縮む方向にひずみ、その際に起電流ｉを起電する。次に圧縮する力を取り去ると圧電体は元の形状に戻り、その際に逆向きの起電流ｉを起電する。また図１０（ｂ）において、圧電体の表面に矢印（↓＆↑）の方向に曲げる力（せん断応力）が加わると、図のように圧電体が曲がる方向にひずみ、その際に起電流ｉを起電する。次に曲げる力を取り去ると圧電体は元の形状に戻り、その際に逆向きの起電流ｉを起電する。この場合前記の圧縮する力でひずむ変位量に比べて、曲げる力でひずむ変位量の方がはるかに大きいため、曲げによる力で起電する起電流の方がはるかに大きくなる。そのため曲げによる変位で起電させると、僅かな圧力でも十分起電させることができる。
そこで本発明は、前述の曲げる力（せん断応力）によって起電させる構成にするもので、そのため金属やプラスチックやゴムが持っている弾性と可撓性の性質を利用するもので、適当な厚みで適当に撓んで弾性を持つ金属やプラスチックやゴムで基板を形成し、その基板上に圧電体を平薄状に設けることで、基板に荷重による大きな圧力が加わっても、その圧力方向に圧電体は基板の持つ弾性力で一体となって撓んで変形でき、そして圧力を取り去ると同様にその基板が持つ弾性力によって、圧電体は元の形に戻るため、基板上に加わるいかなる方向からの圧力でも起電できる。そして圧電体を平薄状に設けるため適当に撓んで、圧電体が割れることがない。その基板を踏み台内に設けることで、その踏み台に足を載せた状態で足踏みすると、継続して起電でき、圧電体で起電する微弱電流を導電部から接面する足の裏の皮膚組織内に通電する構成にするものである。
【０００６】
また圧電体自体を適当に撓む圧電フィルム体で形成することで、別体に前記の基板を設けなくても、圧電フィルム体上に荷重による圧力を加えると、その方向に圧電フィルム体が変形し、その圧電フィルム体が持つ弾性や踏み台内の下敷き部の持つ弾性で元の形に戻るため、同様に起電でき、その圧電フィルム体を踏み台内に設け、その踏み台に足を載せた状態で足踏みすると、同様に継続して起電でき、圧電フィルム体で起電する微弱電流を導電部から接面する足の裏の皮膚組織内に通電する構成にするものである。
【発明の効果】
【０００７】
本発明の健康踏み台は、無電源でもって起電する微弱電流の刺激を足の裏に加えることができ、その構成として適当に撓んで弾性のある基板上に圧電体を平薄状に設けるため、いかなる方向から加わる圧力によっても、その基板上に設けた圧電体が、基板の撓む変形に追従してひずむ変形をすることで起電でき、そして曲げの変形による変位量は、圧縮の変形による変位量に比べて大きいため、起電する起電流を大きくとれ、効率良く起電してその起電流を足の裏の皮膚組織内に通電することができる。
【０００８】
また圧電体自体を適当に撓んで弾性を持つ圧電フィルム体で形成することで、その圧電フィルム体にいかなる方向から加わる圧力でも、圧電フィルム体が曲げの方向と引張りの方向にひずむ変形で起電できるため、同様に小さな加える圧力でも起電する起電流を大きくとれ、効率良く起電する起電流を足の裏の皮膚組織内に通電することができる。
【０００９】
また本発明を構成する圧電体及び圧電フィルム体は非常に薄く構成できるため、踏み台の厚さを薄く構成でき、また体の荷重で加わる圧力や衝撃に対して、基板上に設けた圧電体がその力の方向に適当に撓むため、圧電体が割れることなく実施でき、また加わる力の方向に適当に撓むことで、その衝撃を吸収してクッションの役目を果たせる。本発明の健康踏み台は、起電する微弱電流の刺激を痛みを伴わずに足の裏に加えて健康を促進することができる。
【実施例】
【００１０】
本発明の構成を図面を基に詳細に説明する。
図１は、本発明の外観を示したもので、図１（ａ）はその正面図を示し、図１（ｂ）はその斜視図を示す。図２（ａ）と図３（ａ）は、図１（ｂ）で示すＸ−Ｙ方向への縦断面図を示し、図２（ｂ）と図３（ｂ）は、各構成部品に分解した斜視図を示す。
【００１１】
図２は、本発明の健康踏み台１を基板３上に平薄状の圧電体４を設けて実施する構成を示す。健康踏み台１を上敷き部１ａと下敷き部１ｃで構成し、その下敷き部１ｃを適当に弾性のある多孔性合成樹脂材の発泡性ウレタン樹脂や、発泡性合成ゴム等で形成する。図２（ｂ）に示すように、下敷き部１ｃに凹状の段溝部１ｆを形成し、その段溝部１ｆに導電ゴムを横長に形成した導電部６：６Ａを嵌合し、その導電部６：６Ａの面上に図の様に複数の凸部６ａ、６ａ・・・６ａを形成して設ける。次に４２ALLOYの合金でなる基板３の面上に、図８（ａ）（ｂ）で図示する様に圧電体４を平薄状に設け、その圧電体４の上面に電極５を設けて一体にして構成する。その一体にした基板３を導電部６：６Ａの踵部分の平らな面上に重ね、その上にリング状の樹脂材でなる絶縁材２を重ねる。その絶縁材２は導電部６：６Ｂと基板３及び導電部６：６Ａと絶縁する役目を果たしている。その絶縁材２の上に導電ゴムを円状に形成した導電部６：６Ｂを重ね、その開口２ａから導電部６：６Ｂと電極５とを接面させて導通させている。導電部６：６Ｂの面上には複数の凸部６ｂ、６ｂ・・・６ｂを形成して設けている。そして上敷き部１ａの前記凸部６ａ、６ａ・・・６ａと凸部６ｂ、６ｂ・・・６ｂの各対向する位置に、開口部１ｂ、１ｂ・・・１ｂを形成しており、図２（ｂ）に示すように、各凸部６ａと凸部６ｂを開口部１ｂ、１ｂ・・・１ｂに嵌合させて突出して設け、上敷き部１ａと下敷き部１ｃを合体させて健康踏み台１を構成したものである。
【００１２】
ここで図２（ａ）に示す構成において、実際に本健康踏み台１に足を載せ、その足の裏に通電させる原理を図４に基づいて説明すると、図４（ａ）において、前述のように構成した健康踏み台１の上に足を載せると、健康踏み台１の上に体の重みによる荷重がかかり、健康踏み台１上の突出する凸部６ａ、６ａ・・・６ａと凸部６ｂ、６ｂ・・・６ｂの各先端は、足の裏の皮膚面と当接する。ここで健康踏み台１上にかかる荷重は、踵部分の中央の部分が最も大きい。そして下敷き部１ｃは適当に弾性を持つため、その状態で足踏みをすると、足を踏み下ろすごとに図４（ｂ）から図４（ｃ）に示す変形が起き、基板３には上からの圧力で、図の様に内側に曲がる方向に撓む変形が起きる。そしてその基板３の面上に平薄状に設けた圧電体４は、その基板３の撓みの変形に追従して同様に内側に曲げられて撓み、その時圧電体４には図９（ａ）に示す一方向に流れる起電流ｉが発生する。そしてその起電流ｉは電極５と接面する導電部６：６Ａと、基板３と接面する導電部６：６Ｂに通電され、導電部６：６Ａと導電部６：６Ｂの面上に形成した凸部６ａ、６ａ・・・６ａ及び凸部６ｂ、６ｂ・・・６ｂから、その各当接する足の裏の皮膚組織内へと通電される。さらに足を踏み下ろして上げるごとに、図４（ｃ）から図４（ｂ）に示す変化が起き、前記起電流ｉとは逆向きの起電流ｉが発生する。そしてその起電流ｉは同様に各当接する足の裏の皮膚組織内へと通電される。そのため本発明の健康踏み台１は、無電源で足踏みするごとに微弱な起電流ｉを足の裏の皮膚組織内へと通電できる。そして本発明を構成する基板３とその面上に平薄状に設けた圧電体４は、適当に弾性があり非常に平薄状に構成できるため嵩張らず、また上からの圧力や衝撃に対してその力の大きさに比例して適当に撓むため、上からの衝撃を吸収して和らげるクッションの役目を果たすことができる。
【００１３】
ここで圧電体４は僅かな曲げ方向へのひずみでも起電するため、下敷き部１ｃのわずかな弾性であってもひずんで起電できて実施することが可能であるが、下敷き部１ｃに全く弾性が無くても、導電性ゴムでなる導電部６：６Ａに若干弾性があるため、その弾性のひずみでも起電できて実施可能である。尚、本実施例の構成で、導電部６：６Ａの面上に前記絶縁材２を重ね、その上に前記の基板３と圧電体４と電極５を一体にした構成において、基板３の面を上側にして設け、電極５と導電部６：６Ａを接面させ、基板３と導電部６：６Ｂを接面させて設けて構成してもよい。また図９（ｂ）に示すように、圧電体４にＬＥＤ７を並列に接続して構成してもよく、ＬＥＤ７は半導体のため一方向の起電流で点灯し、その点灯により圧電体４が起電してる状態を目視でもって確認できる。図６は、健康踏み台１の面に表示窓１ｇを設け、ＬＥＤ７が点灯する様子を表示窓１ｇから視覚できるように構成している。各導電部６：６Ａと導電部６：６Ｂの面上に形成する凸部６ａ、６ａ・・・６ａ及び凸部６ｂ、６ｂ・・・６ｂは、各つぼに対向する位置に配設して構成してもよく、例えば代表的な足の裏のつぼには湧泉があり、そこに刺激を加えることによって、腎臓疾患、むくみ、冷え、高血圧、不眠などに効果がある。
【００１４】
図２（ａ）（ｂ）に示すように、本発明を構成する基板３を金属で形成した場合は、適当な厚みと弾性のある黄銅、アルミ、銅、合金でなる４２ALLOY等で実施でき、また基板３を薄いプラスチック材でその面上にアルミ蒸着して形成したり、導電性のカーボン等を成膜して構成してもよい。また基板３全体を導電ゴムや導電性プラスチック材で形成して構成してもよい。基板３の厚みとしては、適当に撓んで弾性を持つ厚さであればよく、金属板で形成した場合は実施例として、その金属にもよるが、例として２〜１ｍｍ以下から０.５〜０．３ｍｍ以下で０.２ｍｍ以下であればさらによい。圧電体４は、圧電（ピエゾ）セラミック４ａとしては、チタン酸ジルコン酸鉛（PZT）の他に、チタン酸バリウム（BaTiO3）、チタン酸鉛、ニオブ酸鉛、ニオブ酸リチウム等を焼結して分極処理したもので構成でき、また圧電（ピエゾ）フィルム４ｂとしては、フィルム状のポリフッ化ビニリデン（PVDF）等で構成して実施できる。いずれの物質も圧力を加えることで、物質内に電気分極が生じて起電流を発生する。
【００１５】
図３は、前実施例で構成した基板３は設けず、図８（ｃ）に示すように圧電体４として圧電（ピエゾ）フィルム４ｂのみで構成して実施するものである。例えば米国ＭＳＩ（Measurement Specialties. Inc）社が製品化してるポリフッ化ビニリデン（PVDF）でなる圧電（ピエゾ）フィルム４ｂは、その圧電フィルム自体が適当に撓んで弾性を持ち、前実施例のように基板３を設けなくても、その圧電（ピエゾ）フィルム４ｂが圧力によって撓んで変形し起電流を発生する。そしてその圧力を取り去って元の形状に戻ると、逆向きの起電流を発生する。圧電（ピエゾ）フィルム４ｂは引張りの力によっても起電流を発生し、前記の圧電（ピエゾ）セラミック４ａと比べて、１０倍以上の起電圧を発生できる。そのため本発明を圧電（ピエゾ）フィルム４ｂで構成すれば、少ない面積分で済み、その厚みも２８μｍ、５２μｍ、１１０μｍと非常に薄くて嵩張らずに構成して実施できる。電極５は圧電体４に金属材を被膜することで構成でき、その被膜方法にはニッケル銅合金によるスパッタ方法や銀のシルクスクリーン印刷方法やアルミ蒸着方法等がある。圧電フィルム４ｂの面上に設ける電極５は、上面のみでもよいが、導電性を良くするため、図８（ｃ）に示すように上面と下面の両面に設けてもよい。また圧電フィルム４ｂの面上に設ける電極５の面積もその面全域に設けてもよいが、図３（ｂ）に示すように、若干面積を小さくして設けてもよい。その構成では電極５と導電部６Ａとの間に若干間隙がとれるため絶縁しやくなる。その構成を図３（ａ）に示すように健康踏み台１に構成して足を載せると、図４（ｄ）に示すように、適当に弾性のある下敷き部１ｃ上に設けた圧電フィルム４ｂは、足の荷重による圧力で下敷き部１ｃの変形に追従して撓み、前実施例と同様に起電流を発生する。そして圧電フィルム４ｂは全く割れることがなく、また図４（ｅ）に示すように、圧電フィルム４ｂは上からの圧力で曲げられると同時に、引張り方向への力も生じて横方向に伸びるため、その伸びのひずみによっても起電できる。そのため図３に示す本発明の圧電フィルム４ｂの構成では、曲げと伸びの両方のひずみでもって起電流を発生し、実施することができる。
【００１６】
尚、圧電フィルム４ｂを防湿状態にするため、図８（ｄ）に示すように圧電フィルム４ｂ全体を樹脂材９で内包し、圧電フィルム４ｂの上面と下面の電極５に電極端子５ａ、５ａをそれぞれ接続して突出させ、その電極端子５ａ、５ａに導電部６Ａと導電部６Ｂを接続して設け、その構成で本発明を実施してもよい。その構成では、樹脂材９の弾性がさらに加わり、元の状態に戻りやすくなり、効率良く起電できる。
【００１７】
図５は、本発明を構成する下敷き部１ｃを弾性の無い基材で構成した実施例を示し、実施例として図５（ａ）（ｂ）に示す構成で実施してもよく、図５（ａ）は下敷き部１ｃに形成した段溝部１ｆ内で、圧電体４を載せる部位に空間部１ｄを形成したものである。足を載せて荷重が加わり基板３が撓むと、前記空間部１ｄ内に基板３の曲がるスペースがあるため、その曲がるひずみで同様に起電流を発生し実施できる。図５（ｂ）は下敷き部１ｃの同部位に弾性部１ｅを設けたもので、足を載せて荷重が加わり基板３が撓むと、弾性部１ｅがその圧力で適当にへこむため、同様にその曲がるひずみで起電流を発生し実施できる。図２、図３で示した各実施例の構成で、下敷き部１ｃを図５（ａ）（ｂ）で示した構成にして実施してもよく、同様に起電流を発生して実施可能である。また下敷き部１ｃに全く弾性が無くても、導電ゴムでなる導電部６：６Ａに若干弾性があるため、その弾性によって基板３が適当に撓み、同様に起電できて実施可能である。導電部６の構成としては導電性を有して適当に弾性があればよく、導電ゴム以外に導電性プラスチックやプラスチック材にアルミ蒸着したもの等で構成して実施できる。また圧電体４を設ける位置も実施例で示した踵部分以外に、土踏まずやつま先側に設けて実施してもよい。
【００１８】
図６は、本発明の健康踏み台１において、その足踏みで起電する微弱電流の足踏み効果に加え、足踏みによる運動効果を確認できるようにした構成である。足を載せる健康踏み台１の面に図の様に足跡の絵を印刷し、その足跡の絵上に足を載せると、正確に足の裏の各つぼに凸部６ａと凸部６ｂを当接でき、図９（ｂ）に示した回路で構成することで、足を踏み下ろすごとに起電する微弱電流を表示窓１ｆから点灯するＬＥＤ７の光で確認でき、その点灯の光で微弱電流が足の裏に通電されてることを確認できる。
【００１９】
また図９（ｃ）に示す構成にして、ＬＥＤ７が点灯する光をセンサ１０ａのホトトランジスタで検出でき、その受光面をＬＥＤ７側に対向させて設け、その検出する光信号で足踏みの回数をカウンタ１０ｂでカウントし、そのカウント数を健康踏み台１に設けた表示部１０ｃで液晶表示する構成である。その構成で何回健康踏み台１上で足踏みしたかその推移、累積をカウンタ１０ｂでカウントし、そのカウント数を表示部１０ｃに表示する数字で確認できる。さらに応用した構成で、カウンタ１０ｂでカウントした足踏み数をデータ化して、図１２に示すように、そのデータをコネクタ１１からＵＳＢメモリーを介してパソコン内に取り込むこともできる。図１２（ａ）に示すように、室内での足踏み運動を日課にし、その日々の足踏み数をカウンタ１０ｂで格納データ化し、その累積データをコネクタ１１にＵＳＢメモリーを接続することで、そのデータをＵＳＢメモリーに保存でき、そのＵＳＢメモリーに保存されたデータを図１２（ｂ）に示すように、パソコン内に取り込んでその画面上で日々の足踏み数の推移、累積を日常管理できる。その実際に実施する管理ソフトとして、例えばオムロン社が製品化してるウォーキング管理ソフト「Ｗａｌｋｉｎｇ  Ｓｔｙｌｅ  ダイアリー」を使うことによって、足踏み運動した日間/週間/月間の足踏み数の日常管理ができる。
【００２０】
尚、図９（ｃ）に示す回路では、ＬＥＤ７とカウント表示部１０との回路を分離して構成してるが、ＬＥＤ７が点灯する回路にその微弱な電流を検出する回路を追加して構成し、実施することも可能である。カウント表示部１０の電源としては、電池１２を単３電池１〜２本で実施でき、また足踏みによって起電する電流を検出しない時は、節電モードとして電源をＯＦＦ状態にしておくような構成にもできる。
【００２１】
図７は、健康踏み台１の面上に反射区の絵１ｈを印刷し構成したものである。その構成であれば、どこのつぼが体の各器官と対応しているかが一目瞭然でわかり、より効果的である。
【００２２】
尚、本発明の各実施例の構成において、導電部６Ａと導電部６Ｂの面上に凸部６ａと凸部６ｂを設けずに構成し、上敷き部１ａに適当な大きさの開口部１ｂを形成し、その開口部１ｂから足の裏を導電部６Ａと導電部６Ｂの面に接面させ、その面から足の裏の皮膚組織内に微弱電流を通電するように構成して実施してもよい。
【００２３】
本発明によって起電する微弱電流について、その効能について説明すると、体内には１００〜２００μＡの生体電流が流れており、その生体電流が細胞組織の乱れで、細胞組織のイオン配列の障害となってスムーズに流れなくなると、人間が本来持っている自然治癒力が低下し、疾患の原因にもなっていた。そこで生体電流に近い微弱電流を体外から流してやることで、自然治癒力が高まることがピッツバーグ大学の研究結果でも報告されており、その治療法として微弱電流療法（マイクロカレントセラピー）があり、その微弱電流療法によって、個々の細胞や組織が傷ついた場合は、体外から微弱（＝損傷）電流を人工的に流してやることで、その修復に必要なエネルギーを供給するＡＴＰ（アデノシン三燐酸）酵素の生成や、たんぱく質の合成等が促進されて自然治癒力が高まり、治癒（回復）が早まることが証明されている。そして前記のピッツバーグ大学の研究結果では、微弱電流によって細胞内のＡＴＰ合成が５０％アップし、たんぱく質の合成が７０％アップし、細胞間輸送が４０％アップしたという報告がある。微弱電流治療器としては、微弱電流発生装置が開発され製品化されており、微弱電流施療は元々アスリートやプロスポーツ選手が打撲やじん帯損傷などの治療に使われてるもので、ワールドカップイングランド代表のベッカム選手が骨折治療に取り入れ、短期間で治したことが知られている。そのため本発明の健康踏み台によって、足の裏の反射区に対応した器官を正常化させることができ、また胃腸の働きを良くしてダイエット効果もある。
【図面の簡単な説明】
【００２４】
【図１】（ａ）本発明の１実施例の正面図（ｂ）本発明の１実施例の斜視図
【図２】（ａ）本発明の図１（ｂ）で示すＸ−Ｙ方向の縦断面図（ｂ）本発明の１実施例を構成する分解斜視図
【図３】（ａ）本発明の図１（ｂ）で示すＸ−Ｙ方向の縦断面図（ｂ）本発明の１実施例を構成する分解斜視図
【図４】（ａ）本発明の１実施例の縦断面図（ｂ）（ｃ）（ｄ）（ｅ）本発明の１実施例の１部の縦断面図
【図５】（ａ）（ｂ）本発明の１実施例の１部の縦断面図
【図６】本発明の１実施例の正面図
【図７】本発明の１実施例の正面図
【図８】（ａ）本発明の１実施例の１部を構成する側面図  （ｂ）本発明の１実施例の１部を構成する正面図（ｃ）本発明の１実施例の１部を構成する側面図  （ｄ）本発明の１実施例の１部を構成する正面図
【図９】（ａ）本発明の原理を示す一部の側面図と正面図  （ｂ）（ｃ）本発明の原理を示す一部の側面図と回路図
【図１０】（ａ）（ｂ）本発明の起電原理を示す側面図
【図１１】足の裏のつぼの分布を示す正面図
【図１２】（ａ）（ｂ）本発明を実施する正面図
【符号の説明】
【００２５】
１  ：  健康踏み台
１ａ  ：  上敷き部
１ｂ  ：  開口部
１ｃ  ：  下敷き部
１ｄ  ：  空間部
１ｅ  ：  弾性部
１ｆ  ：  段溝部
１ｇ  ：  表示窓
１ｈ  ：  反射区の絵
２  ：  絶縁材
２ａ  ：  開口
３  ：  基板
４  ：  圧電体
４ａ  ：  圧電（ピエゾ）セラミック
４ｂ  ：  圧電（ピエゾ）フィルム
５  ：  電極
５ａ  ：  電極端子
６  ：  導電部
６Ａ  ：  導電部
６Ｂ  ：  （導電部６Ａと異極の）導電部
６ａ  ：  （導電部６Ａ上の）凸部
６ｂ  ：  （導電部６Ｂ上の）凸部
７  ：  ＬＥＤ
８  ：  皮膚
９  ：  樹脂材
１０  ：  カウント表示部
１０ａ  ：  センサ
１０ｂ  ：  カウンタ
１０ｃ  ：  表示部
１１  ：  コネクタ
１２  ：  電池
【図１】
2007215821.tif 000003
【図２】
2007215821.tif 000004
【図３】
2007215821.tif 000005
【図４】
2007215821.tif 000006
【図５】
2007215821.tif 000007
【図６】
2007215821.tif 000008
【図７】
2007215821.tif 000009
【図８】
2007215821.tif 000010
【図９】
2007215821.tif 000011
【図１０】
2007215821.tif 000012
【図１１】
2007215821.tif 000013
【図１２】
2007215821.tif 000014